(57)【要約】【課題】  ＷＥＢページ等の表示情報を閲覧している際にユーザが意図している操作を確実に行う。【解決手段】  携帯端末１０は、表示画面を有し、当該表示画面に表示情報を表示するタッチパネル１１と、表示された表示情報における、選択されることで、設定された機能が実行される領域を検出して、当該領域の数又は面積を検出する検出部１２と、領域の数又は面積に応じて、表示情報に対する操作を行うための操作パネルを表示画面に表示させる操作パネル表示部１３とを備える。【選択図】  図１
2014191486.tif 000002
【特許請求の範囲】
【請求項１】
表示画面を有し、当該表示画面に表示情報を表示する表示装置を備える端末であって、
前記表示画面に表示された表示情報における、選択されることで、設定された機能が実行される領域を検出して、当該領域の数又は面積を検出する検出手段と、
前記検出手段によって検出された前記領域の数又は面積に応じて、前記表示情報に対する操作を行うための操作パネルを前記表示画面に表示させる操作パネル表示手段と、
を備える端末。
【請求項２】
前記操作パネル表示手段は、前記操作として、前記表示情報のスクロール、前記表示情報に含まれる情報のコピー、及び前記表示情報に含まれるリンクによる別の表示情報の表示の少なくとも何れかを行う操作パネルを表示させる請求項１に記載の端末。
【請求項３】
前記領域は、別の表示情報を表示する機能が実行される領域である請求項１又は２に記載の端末。
【請求項４】
前記操作パネル表示手段は、前記操作パネルを表示するまでの時間の設定入力を受け付けて、前記表示装置によって前記表示情報が表示されてから当該時間が経過した後に前記操作パネルを表示する請求項１〜３の何れか一項に記載の端末。
【請求項５】
前記表示装置は、前記表示画面に対する接触を検出して入力を受け付けるタッチパネルである請求項１〜４の何れか一項に記載の端末。
【請求項６】
表示画面を有し、当該表示画面に表示情報を表示する表示装置を備える端末による操作制御方法であって、
前記表示画面に表示された表示情報における、選択されることで設定された機能が実行される領域の数又は面積を検出する検出ステップと、
前記検出ステップにおいて検出された前記領域の数又は面積に応じて、前記表示情報に対する操作を行うための操作パネルを前記表示画面に表示させる操作パネル表示ステップと、
を含む操作制御方法。
【発明の詳細な説明】
【技術分野】
【０００１】
本発明は、表示情報を表示する表示装置を備える端末、及び当該端末による操作制御方法に関する。
【背景技術】
【０００２】
タッチパネルが搭載された携帯電話機等の携帯端末において、ＷＥＢページを表示している際に当該ＷＥＢページが画面に収まりきらないものであった場合、当該ＷＥＢページをスクロールさせて画面に表示されていなかった部分を表示させることができる。タッチパネルでスクロールを行うには、例えば、指をタッチパネルに接触させ、指をタッチパネルに接触させたままスクロールさせたい方向になぞる操作、いわゆるドラッグが必要となる（例えば、特許文献１参照）。
【先行技術文献】
【特許文献】
【０００３】
【特許文献１】特開２０１３−３７１８号公報
【発明の概要】
【発明が解決しようとする課題】
【０００４】
ところで、ＷＥＢページには別のＷＥＢページへのリンクが設けられていることがある。タッチパネルにおいては、当該リンクの箇所を指で接触する、いわゆるタップすることでリンク先のＷＥＢページへ遷移することができる。
【０００５】
携帯端末では通常、表示画面が小さいため、即ち、画面サイズの制限からスクロールをするためのスクロールバー等の表示はなされていない。そのため、上記のスクロールの操作もＷＥＢページが表示された箇所に指を接触させることとなる。そのため、リンクが多く含まれているＷＥＢページを閲覧している際に、画面スクロール操作を行おうとしたときにユーザ（操作者）が意図しないリンクに接触してしまうことが多々起こりえる。これにより、ユーザが意図しないリンク先へ遷移してしまう。即ち、ユーザが意図しない操作となってしまうという問題があった。
【０００６】
本発明は、上記の問題点に鑑みてなされたものであり、ＷＥＢページ等の表示情報を閲覧している際にユーザが意図している操作を確実に行うことを可能とする端末及び操作制御方法を提供することを目的とする。
【課題を解決するための手段】
【０００７】
上記の目的を達成するために、本発明に係る端末は、表示画面を有し、当該表示画面に表示情報を表示する表示装置を備える端末であって、表示画面に表示された表示情報における、選択されることで、設定された機能が実行される領域を検出して、当該領域の数又は面積を検出する検出手段と、検出手段によって検出された領域の数又は面積に応じて、表示情報に対する操作を行うための操作パネルを表示画面に表示させる操作パネル表示手段と、を備える。
【０００８】
本発明に係る端末では、表示画面に表示された表示情報に含まれる、選択されることで設定された機能が実行される領域の数又は面積に応じて、操作パネルが表示される。ユーザは表示された操作パネルに対して操作を行うことで、意図している操作を確実に行うことができる。即ち、本発明に係る端末によれば、ＷＥＢページ等の表示情報を閲覧している際にユーザが意図している操作を確実に行うことができる。
【０００９】
操作パネル表示手段は、操作として、表示情報のスクロール、表示情報に含まれる情報のコピー、及び表示情報に含まれるリンクによる別の表示情報の表示の少なくとも何れかを行う操作パネルを表示させることとしてもよい。この構成によれば、スクロール、コピー及び別の表示情報の表示の少なくとも何れかの操作を確実に行うことができる。
【００１０】
領域は、別の表示情報を表示する機能が実行される領域であることとしてもよい。この構成によれば、例えば、閲覧しているＷＥＢページにリンクが多く含まれている場合に操作パネルを表示することができる。即ち、適切に操作パネルを表示することができる。
【００１１】
操作パネル表示手段は、操作パネルを表示するまでの時間の設定入力を受け付けて、表示装置によって表示情報が表示されてから当該時間が経過した後に操作パネルを表示することとしてもよい。この構成によれば、操作パネルが表示されるまでの時間を適切にすることができ、利便性を高めることができる。
【００１２】
表示装置は、表示画面に対する接触を検出して入力を受け付けるタッチパネルであることとしてもよい。この構成とすれば、タッチパネルにおいてユーザが入力する場合にユーザが意図している操作を確実に行うことができる。
【００１３】
ところで、本発明は、上記のように端末の発明として記述できる他に、以下のように操作制御方法の発明としても記述することができる。これはカテゴリが異なるだけで、実質的に同一の発明であり、同様の作用及び効果を奏する。
【００１４】
即ち、本発明に係る操作制御方法は、表示画面を有し、当該表示画面に表示情報を表示する表示装置を備える端末による操作制御方法であって、表示画面に表示された表示情報における、選択されることで設定された機能が実行される領域の数又は面積を検出する検出ステップと、検出ステップにおいて検出された領域の数又は面積に応じて、表示情報に対する操作を行うための操作パネルを表示画面に表示させる操作パネル表示ステップと、を含む。
【発明の効果】
【００１５】
本発明によれば、ユーザが表示された操作パネルに対して操作を行うことで、ＷＥＢページ等の表示情報を閲覧している際にユーザが意図している操作を確実に行うことができる。
【図面の簡単な説明】
【００１６】
【図１】本発明の実施形態に係る端末である携帯端末の機能構成を示す図である。
【図２】携帯端末の外観及びタッチパネルの表示画面を示す図である。
【図３】表示画面の遷移の例を示す図である。
【図４】本発明の実施形態に係る端末である携帯端末のハードウェア構成を示す図である。
【図５】本発明の実施形態に係る端末である携帯端末で、事前設定の際に実行される処理（操作制御方法）を示すフローチャートである。
【図６】本発明の実施形態に係る端末である携帯端末で、表示情報の表示及び操作時に実行される処理（操作制御方法）を示すフローチャートである。
【発明を実施するための形態】
【００１７】
以下、図面と共に本発明に係る端末及び操作制御方法の実施形態について詳細に説明する。なお、図面の説明においては同一要素には同一符号を付し、重複する説明を省略する。
【００１８】
図１に本実施形態に係る端末である携帯端末１０を示す。携帯端末１０は、ユーザによって携帯（所持）される装置であり、例えば、スマートフォン等の携帯電話機やタブレット型の端末である。携帯端末１０は、表示画面を有し、当該表示画面に表示情報を表示する表示装置を備えている。携帯端末１０が備える表示装置は、例えば、後述するようなタッチパネルである。表示装置に表示される表示情報は、例えば、ＷＥＢサイトから取得されたＷＥＢページである。また、表示情報は、ＷＥＢページ以外でも携帯端末１０において実行される任意のアプリケーションによって表示される情報でもよい。本発明に係る機能は、例えば、表示情報のスクロール等の、表示画面に表示された表示情報に対する操作に係るものである。
【００１９】
引き続いて、携帯端末１０の本発明に係る機能について説明する。図１に示すように携帯端末１０は、タッチパネル１１と、検出部１２と、操作パネル表示部１３とを備えて構成されている。なお、携帯端末１０は、上記の機能以外にも、通常、携帯電話機等の装置が備える機能を備えていてもよい。
【００２０】
タッチパネル１１は、表示画面（ディスプレイ）を有し、当該表示画面に表示情報を表示する表示装置である。図２に、携帯端末１０に設けられるタッチパネル１１のディスプレイ１１ａを示す。図２は、表示情報がディスプレイ１１ａに表示されている状態を示している。タッチパネル１１は、ディスプレイ１１ａに対してユーザの指等が接触することによる静電容量あるいは電圧の変化を検出し、これらの変化に基づく入力を行う。タッチパネル１１は、表示画面における、ユーザの指等が接触された位置を検出して、当該位置における入力を行う。タッチパネル１１は、従来と同様の構成のものを用いることができる。
【００２１】
タッチパネル１１に表示される表示情報は、例えば、携帯端末１０において実行されるアプリケーションからタッチパネル１１に入力される。例えば、表示情報がＷＥＢページである場合には、ＷＥＢブラウザから入力される。タッチパネル１１は、表示情報がディスプレイ１１ａの画面内に表示しきれないサイズの場合には、ディスプレイ１１ａに収まる範囲の部分のみを表示する。その場合、タッチパネル１１は、ユーザから表示情報をスクロールさせる操作を入力し、当該入力に応じた表示情報のスクロールを行う。表示情報をスクロールさせる操作は、例えば、指をディスプレイ１１ａに接触させたままスクロールさせたい方向になぞる操作、いわゆるドラッグである。
【００２２】
また、表示情報には、選択されることで、設定された機能が実行される領域がある。選択は、例えば、表示情報が表示されたディスプレイ１１ａ上において、当該領域の位置がユーザの操作等によりタッチパネル１１において指定されることである。この指定は、例えば、当該リンクの箇所がユーザの指等で接触される、いわゆるタップされることで行われる。これらの領域は、図２に示すようにディスプレイ１１ａに表示された表示情報中において予め設定された位置に表示されることで示されている。このような領域として、別の表示情報（例えば、別のＷＥＢページ）へ接続（遷移）して表示を行う（別の表示情報をディスプレイ１１ａに表示させる）ためのリンク２１がある。あるいは、表示情報を表示しているアプリケーション以外のアプリケーションを起動するための、あるいはファイル等のダウンロードを誘導する領域（オブジェクト）２２等であってもよい。即ち、上記の領域は表示中の表示情報の画面から外れた異なる動作を誘導する領域である。上記の領域は予め表示情報に定義されている。例えば、ＷＥＢページであれば、ＷＥＢページを表示するためのソースコードに記載されている。
【００２３】
検出部１２は、タッチパネル１１に表示された表示情報における、選択されることで、設定された機能が実行される領域を検出して、当該領域の数又は面積を検出する検出手段である。また、検出部１２は、上記の数又は面積の両方を検出することとしてもよい。具体的には、検出部１２は、ディスプレイ１１ａに表示された表示情報の各画素が上記の領域を構成する画素か否かを判別する。検出部１２は、上記の領域を構成する画素と判別された画素の数（総画素数）をカウントすることで上記の面積を算出する。画素の数そのものを、上記の領域に係る面積（ディスプレイ１１ａのサイズに占める総面積）を示す値としてもよい。また、予め、ディスプレイ１１ａのサイズや解像度を示す情報を記憶しておき、カウントした総画素数とサイズや解像度とから、上記の領域に係る総面積（ディスプレイ１１ａのサイズに占める総面積の割合）を算出することとしてもよい。なお、領域の数や面積の検出は、例えば、リンク２１やその他のオブジェクト２２等の領域の種別毎に行われてもよい。具体的には、リンク２１のみについて領域の数や面積を検出してもよいし、リンク２１以外のオブジェクト２２のみについて領域の数や面積を検出してもよい。
【００２４】
また、検出部１２は、上記の領域を構成する画素が具体的にどのような機能が実行されるかを表示元の表示情報に基づいて判別する。例えば、ＷＥＢページのソースコードからリンク先を特定する情報（例えば、リンク先のＵＲＬ）を取得して、上記の判別を行う。検出部１２は、上記の判別に基づいて上記の領域の数を算出する。例えば、上記の領域がリンクに係るものであれば、リンク先の総数を算出する。なお、上記の領域の数又は面積の検出は、上記に説明した方法以外でも任意の方法を利用することができる。
【００２５】
検出部１２は、上記の領域の数又は面積の検出を、例えば、ディスプレイ１１ａの表示内容が新たなものとなったタイミングで行う。検出部１２は、検出した領域の数又は面積を示す情報を操作パネル表示部１３に出力する。
【００２６】
操作パネル表示部１３は、検出部１２から入力された情報によって示される上記の領域の数又は面積に応じて、ディスプレイ１１ａに表示された表示情報に対する操作を行うための操作パネルをディスプレイ１１ａに表示させる操作パネル表示手段である。上記の操作パネルは、ディスプレイ１１ａに表示された表示情報に対する操作をより確実にさせるためのものである。操作パネルは、操作として、表示情報のスクロール、表示情報に含まれる情報のコピー、及び表示情報に含まれるリンクによる別の表示情報の表示（リンク先への表示情報への遷移）を行うためのものである。図３に、ディスプレイ１１ａに表示される操作パネルの例を示す。図３（ａ）及び図３（ｄ）は、操作パネルが表示されていないディスプレイ１１ａである。図３（ｂ）及び図３（ｃ）は、操作パネル３０が表示されているディスプレイ１１ａである。操作パネル３０は、ディスプレイ１１ａにおける予め設定された位置の矩形の領域として、表示情報と重ねて表示される。なお、操作パネル３０が重ねられた位置の表示情報もユーザが閲覧できるように、例えば操作パネル３０は半透明な表示（重ねられた表示情報の内容も認識可能な表示）とするのがよい。
【００２７】
操作パネル表示部１３は、操作パネル３０を表示すると共にディスプレイ１１ａにおいて上記の領域の選択、あるいは上記の領域が選択された場合に領域に応じた機能の実行を禁止する制御を行ってもよい。例えば、リンクであれば、リンク先の別の表示情報への遷移を禁止する制御を行う。これは、例えば、ユーザが表示情報のスクロールを行いたい場合にリンクの領域の触れてしまい別の表示情報に遷移してしまうことを防止するためである。但し、この場合でも、後述する操作パネルによる操作を可能とするため、上記の領域（リンク２１やオブジェクト２２）の、ユーザによるタップによる選択動作は可能にすることとしてもよい。また、上記の制御を行っていることをユーザに通知するため、図３（ｂ）及び図３（ｃ）のハッチングで示すように表示中（ユーザによって閲覧中）の表示情報はグレーアウト表示にすることとしてもよい。
【００２８】
図３（ｂ）及び図３（ｃ）に示すように操作パネル３０には、スクロール領域３１と、コピーボタン３２と、接続ボタン３３と、解除ボタン３４とが含まれている。スクロール領域３１は、表示情報のスクロールを行うための領域である。スクロール領域３１においてドラッグが行われたことが検出されて、当該ドラッグに応じた表示情報のスクロールが行われる。コピーボタン３２は、表示情報に含まれる情報のコピーを行うためのボタンである。表示情報中の上記の領域に含まれるテキスト（例えば、リンク上（リンクに対応付けられた）のテキスト）等の情報が選択された後、コピーボタン３２が接触（タップ）されると当該選択された情報のコピーが行われる。
【００２９】
接続ボタン３３は、表示情報に含まれるリンクによる別の表示情報の表示（リンク先への表示情報への遷移）を行うためのボタンである。表示情報中のリンクの領域が選択された後、接続ボタン３３が接触（タップ）されるとリンク先への接続が行われて、リンク先の表示情報の表示（リンク先への表示情報への遷移）が行われる。解除ボタン３４は、操作パネル３０を消去させるためのボタンである。解除ボタン３４が接触（タップ）されると操作パネル３０がディスプレイ１１ａから消去される。なお、スクロール領域３１、コピーボタン３２、接続ボタン３３及び解除ボタン３４への接触を検出して、当該検出に応じた上記の動作は、操作パネル表示部１３によって実行されてもよいし、携帯端末１０における操作パネル表示部１３以外の機能手段によって実行されてもよい。なお、操作パネル３０には、必ずしも上記の全ての領域あるいはボタン３１〜３４が含まれている必要はなく、少なくともスクロール領域３１と、コピーボタン３２と、接続ボタン３３との何れかが含まれていればよい。
【００３０】
操作パネル表示部１３は、具体的には操作パネル３０の表示を以下のように行う。操作パネル表示部１３は、予め閾値（設定値）を記憶しておき、当該閾値と上記の領域の数又は面積とを比較して操作パネル３０を表示させるか否かを判断する。具体的には、上記の領域の数又は面積が閾値以上の値であると判断された場合に、操作パネル３０を表示させると判断する。この閾値は、例えば、上記の領域の数や面積が、ユーザにとって通常のディスプレイ１１ａ上ではスクロール等の操作が行いにくい場合に応じたものとするのがよい。なお、上記の領域の数及び面積の両方を用いる場合には、何れか一方が閾値以上の値であった場合に操作パネル３０を表示させることとしてもよいし、両方が閾値以上の値であった場合に操作パネル３０を表示させることとしてもよい。なお、上記の例では、値が閾値以上かの判断を行っているが、値が閾値を超過するかの判断をすることとしてもよい。
【００３１】
操作パネル表示部１３は、ディスプレイ１１ａに表示情報が表示されてから操作パネル３０を表示するまでの経過時間（操作パネル起動時間）を設定可能とすることができる。ディスプレイ１１ａに表示情報が表示された直後に操作パネル３０を表示してしまうと、ユーザがその部分の表示情報を認識しにくくなるのですこし時間を空けてから表示することとするのがよい。そのため、操作パネル表示部１３は、タッチパネル１１から表示情報が表示されたタイミングの通知を受けて、当該タイミングから予め設定された時間が経過した後に操作パネル３０を表示する。なお、上記のタイミングは、単に表示情報が表示されたタイミングだけではなく、表示情報がスクロール等されてディスプレイ１１ａでの表示内容が変更されたタイミングを含む。上記の時間は、例えば１０〜６０秒の中でユーザが自由に設定することができる。
【００３２】
また、携帯端末１０において、操作パネル３０を表示させること自体（操作パネル３０の利用有無）をユーザに設定可能であるようにしてもよい。操作パネル３０を表示させない設定とした場合（利用設定を「無」とした場合）、操作パネル３０を表示しない従来と同様の表示が行われる。また、操作パネル３０を表示させる設定とした場合（利用設定を「有」とした場合）、事前（上述した本実施形態による機能が利用される前）に上記の閾値や表示情報が表示されてから操作パネル３０を表示するまでの経過時間等の操作パネル３０の起動条件の入力をユーザ等から受け付けてもよい。操作パネル３０の利用有無、及び操作パネル３０の起動条件は、例えば、設定用画面によって行われる。以上が、携帯端末１０の機能構成である。
【００３３】
引き続いて、図４に本実施形態に係る携帯端末１０のハードウェア構成を示す。図４に示すように、携帯端末１０は、ＣＰＵ（Central Processing Unit）１０１、ＲＡＭ（RandomAccess Memory）１０２、ＲＯＭ（Read Only Memory）１０３、移動体通信モジュール１０４及びアンテナ１０５等のハードウェアにより構成されている。また、携帯端末１０は上述したようにハードウェアとしてタッチパネル１１を備えている。これらの構成要素がプログラム等により動作することにより、上述した機能が発揮される。以上が、携帯端末１０の構成である。
【００３４】
引き続いて、図５及び図６のフローチャートを用いて、本実施形態に係る携帯端末１０で実行される処理である操作制御方法を説明する。まず、図５のフローチャートを用いて、事前設定の際に実行される処理を説明する。本処理は、例えば、ユーザの操作によって携帯端末１０において設定用画面が表示されてから行われる。まず、操作パネル表示部１３によって、操作パネル３０の利用有無についての入力が受け付けられる（Ｓ０１、操作パネル表示ステップ）。当該入力はユーザによる操作によって行われる。ここで利用設定を「無」とする入力が受け付けられた場合（Ｓ０２のＮＯ）、操作パネル表示部１３によって、その旨が記憶されて（Ｓ０４、操作パネル表示ステップ）処理が終了する。
【００３５】
Ｓ０１において利用設定を「有」とする入力が受け付けられた場合（Ｓ０２のＹＥＳ）、引き続いて、操作パネル表示部１３によって、操作パネル３０の起動条件の入力が受け付けられる（Ｓ０３、操作パネル表示ステップ）。即ち、上記の閾値や表示情報が表示されてから操作パネル３０を表示するまでの経過時間等を示す情報の入力が受け付けられる。続いて、操作パネル表示部１３によって、入力された利用設定を「有」とする旨、及び起動条件を示す情報が記憶される（Ｓ０４、操作パネル表示ステップ）。本処理で記憶された情報に基づいて、後述する処理が実行される。以上が事前設定の際に実行される処理である。
【００３６】
引き続いて、図６のフローチャートを用いて、表示情報の表示及び操作時に実行される処理を説明する。なお、本処理は、図５に示す処理において、利用設定を「有」とした場合のみに行われる。本処理では、まず、タッチパネル１１によって表示情報が表示される（Ｓ１１）。例えば、図３（ａ）に示すようにタッチパネル１１のディスプレイ１１ａにはＷＥＢページが表示される。この表示は、ユーザの携帯端末１０に対する操作に基づいて行われる。
【００３７】
表示情報が表示されると続いて、検出部１２によって、表示情報から、機能が実行される領域（例えば、上述したように他のＷＥＢページへのリンク等の特定の領域）が検出されて、当該領域の数又は面積が検出される（Ｓ１２、検出ステップ）。検出された数又は面積を示す情報は、検出部１２から操作パネル表示部１３に出力される。
【００３８】
続いて、操作パネル表示部１３によって、検出部１２から入力された情報によって示される領域の数又は面積が閾値以上であるか否かが判断される（Ｓ１３、操作パネル表示ステップ）。領域の数又は面積が閾値未満であった場合（Ｓ１３のＮＯ）、再度、タッチパネル１１の表示（Ｓ１１）から処理が繰り返される。なお、単に新たな別の表示情報が表示された場合だけではなく、表示されていた表示情報がスクロール等されてディスプレイ１１ａでの表示内容が変更された場合も処理の繰り返しが行われる。
【００３９】
領域の数又は面積が閾値以上であった場合（Ｓ１３のＹＥＳ）、操作パネル表示部１３の制御によって、タッチパネル１１のディスプレイ１１ａに操作パネル３０が表示される（Ｓ１４、操作パネル表示ステップ）。例えば、図３（ｂ）に示すようにタッチパネル１１のディスプレイ１１ａには、ＷＥＢページの表示に重ねて操作パネルが表示される。なお、ディスプレイ１１ａに表示情報が表示されてからの経過時間が、操作パネル３０の起動条件として記憶されていた場合には、操作パネル３０の表示は当該経過時間が設定されたものとなってから行われる。なお、設定された時間が経過する前に、ディスプレイ１１ａに別の表示情報が表示された場合には、操作パネル３０の表示は行われずタッチパネル１１の表示（Ｓ１１）から処理が繰り返される。
【００４０】
続いて、操作パネル表示部１３によって、表示された操作パネル３０による、表示情報に対する操作の入力が行われて、当該操作に応じた動作が実行される（Ｓ１５）。この操作はユーザによって行われる。例えば、図３（ｃ）に示すように操作パネル３０のスクロール領域３１が用いられてＷＥＢページのスクロールが行われる。続いて、ユーザの操作によって操作パネル３０の消去操作（解除ボタン３４のタップ）が行われると、操作パネル表示部１３によって、当該操作の入力が行われて操作パネル３０の消去が行われる（Ｓ１６、操作パネル表示ステップ）。例えば、図３（ｄ）に示すように表示情報がスクロールされた後の状態で操作パネル３０が消去される。なお、ユーザが操作パネル３０による操作を行いたくない場合には、スクロール等の操作パネルによる操作（Ｓ１５）が行われずに操作パネル３０が消去されてもよい。操作パネル３０の消去が行われると、再度、タッチパネル１１の表示（Ｓ１１）から処理が繰り返される。以上が、表示情報の表示及び操作時に実行される処理である。
【００４１】
上述したように本実施形態では、表示画面に表示された表示情報に含まれる、リンクやその他のオブジェクト等の選択されることで設定された機能が実行される領域の数又は面積に応じて、操作パネル３０が表示される。従って、ユーザは表示された操作パネル３０に対して操作を行うことで、例えば、ＷＥＢページ等の表示情報を閲覧している際にスクロールや上記の領域に含まれる情報のコピー等を行うことができる。この場合、例えば、ユーザがリンク先の表示情報を表示させることを意図しているものではないため、リンク先の表示情報への遷移が行われず、ユーザが意図している操作を確実に行うことができる。また、本実施形態のように操作パネル３０の表示を領域の数又は面積に応じて行うこととしているので、例えば、表示情報中にリンクが少ない等ユーザの操作に支障があるおそれが低い場合には操作パネル３０を表示させなくすることができる。即ち、必要な場合のみに操作パネル３０を表示させることができる。
【００４２】
また、操作パネル３０による操作は、本実施形態のように、例えば、スクロール、コピー及び別の表示情報の表示の何れかとすることができる。但し、それ以外の操作を行うための操作パネル３０を表示することとしてもよい。
【００４３】
また、本実施形態のように、選択されることで設定された機能が実行される領域を別の表示情報へのリンクとすることができる。この構成によれば、例えば、閲覧しているＷＥＢページにリンクが多く含まれている場合に操作パネル３０を表示することができる。即ち、適切に操作パネル３０を表示することができる。但し、必ずしもリンクである必要はなく、上述したようにリンク以外のオブジェクトであってもよい。
【００４４】
また、本実施形態のように操作パネル３０を表示するまでの経過時間を設定できるようにしてもよい。この構成によれば、操作パネル３０が表示されるまでの時間を適切にすることができ、利便性を高めることができる。
【００４５】
また、本実施形態のように表示装置はタッチパネルであることとするのがよい。タッチパネルの場合（特にスマートフォンのような小さい画面の場合）、ユーザが表示画面上で正確な操作位置において入力を行うことが難しいため、本発明の効果をより大きいものとすることができる。なお、本実施形態に係る端末は、携帯端末１０としたが必ずしも携帯端末１０である必要はなく、表示装置を備える端末であれば任意のものに本発明を適用することができる。
【符号の説明】
【００４６】
１０…携帯端末、１１…タッチパネル、１１ａ…ディスプレイ、１２…検出部、１３…操作パネル表示部、１０１…ＣＰＵ、１０２…ＲＡＭ、１０３…ＲＯＭ、１０４…移動体通信モジュール、１０５…アンテナ。
【図１】
2014191486.tif 000003
【図２】
2014191486.tif 000004
【図３】
2014191486.tif 000005
【図４】
2014191486.tif 000006
【図５】
2014191486.tif 000007
【図６】
2014191486.tif 000008